(57)【要約】【課題】居住空間に雨漏り等が生じることを防止するとともに、外装部材の壁部の浮き上がりを防止することが可能となる発泡樹脂建築物及び発泡樹脂建築物の構築方法を提供する。【解決手段】発泡樹脂素材を主材とする発泡樹脂建築物１に関する。周縁部に設けられる壁部２と上部に設けられる屋根部３とを有する外装部材８を備える。外装部材８は、壁部２が複数の分割板４を上下方向に接合させることで略鉛直に形成されるとともに、屋根部３が壁部２の上端から延びるように連続して上方に向けて湾曲させて形成される。分割板４は、発泡樹脂素材が主材として用いられ、上端部４１及び下端部４２で上下方向Ｙに延びて傾斜する第１切欠部５及び第２切欠部６が形成される。【選択図】図１
2014224395.tif 000002
【特許請求の範囲】
【請求項１】
発泡樹脂素材を主材とする発泡樹脂建築物であって、
周縁部に設けられる壁部と上部に設けられる屋根部とを有する外装部材を備え、
前記外装部材は、前記壁部が複数の分割板を上下方向に接合させることで略鉛直に形成されるとともに、前記屋根部が前記壁部の上端から延びるように連続して上方に向けて湾曲させて形成されて、
前記分割板は、発泡樹脂素材が主材として用いられ、上端部及び下端部で上下方向に延びて傾斜する切欠部が形成されること
を特徴とする発泡樹脂建築物。
【請求項２】
前記分割板は、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成されること
を特徴とする請求項１記載の発泡樹脂建築物。
【請求項３】
前記第１切欠部及び前記第２切欠部は、先端面と基端面との間で上下方向に延びて傾斜する褶動面が形成されること
を特徴とする請求項２記載の発泡樹脂建築物。
【請求項４】
複数の前記分割板は、上下方向に接合される一方の前記分割板の前記第１切欠部と、他方の前記分割板の前記第２切欠部とが、前記分割板に対して傾斜した貫通ボルトで連結されること
を特徴とする請求項２又は３記載の発泡樹脂建築物。
【請求項５】
発泡樹脂素材を主材とする発泡樹脂建築物の構築方法であって、
上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成された複数の分割板を、前記第１切欠部及び前記第２切欠部に形成された先端面と基端面との間で、上下方向に延びて傾斜する褶動面で褶動させながら上下方向に接合させて、発泡樹脂建築物の周縁部で略鉛直に外装部材の壁部を設ける壁部設置工程と、
前記壁部設置工程で設けられた前記壁部の上端から延びるように連続して、発泡樹脂建築物の上部で上方に向けて湾曲させて形成された外装部材の屋根部を設ける屋根部設置工程とを備えること
を特徴とする発泡樹脂建築物の構築方法。
【発明の詳細な説明】
【技術分野】
【０００１】
本発明は、建築物の壁部等に主材として発泡樹脂素材が用いられた発泡樹脂建築物及び発泡樹脂建築物の構築方法に関する。
【背景技術】
【０００２】
従来より、発泡スチロールを構成材とする建築物として、例えば、特許文献１に開示される発泡スチロールドームが提案されている。
【０００３】
特許文献１に開示された発泡スチロールドームは、発泡スチロールを構成材とする複数のドーム片を、建築物の外周方向に連なるように集合させて組み立てるものであり、複数のドーム片によって形成される建築物の内部に、居住空間が形成されるものである。
【先行技術文献】
【特許文献】
【０００４】
【特許文献１】特開２００７−９６９２号公報
【発明の概要】
【発明が解決しようとする課題】
【０００５】
しかし、複数のドーム片の構成材となる発泡スチロールは、合成樹脂素材を微細な泡で発泡させて硬化させるものであり、発泡スチロールの成形製品の製作過程において、厳密に大きさを均一にして発泡させることが難しく、発泡スチロールの成形製品が大きくなるにしたがって、発泡スチロールの成形製品の製作精度を一定に維持することが困難なものとなる。
【０００６】
特許文献１に開示された発泡スチロールドームは、ドーム片が建築物の上下方向で一体的に成形されるものであり、各々のドーム片が大きくなるものであることから、複数のドーム片の大きさを均一にして製作することが困難なものとなる。このとき、特許文献１に開示された発泡スチロールドームは、複数のドーム片を隙間なく組み立てることが困難なものとなり、複数のドーム片の隙間から雨漏り等が生じるおそれがあるという問題点があった。
【０００７】
また、特許文献１に開示された発泡スチロールドームは、各々のドーム片が大きくなるものであることから、ドーム片が製作される工場から発泡スチロールドームの建築現場まで、各々のドーム片を運搬するために必要となる輸送コストが増大するおそれがあるとともに、発泡スチロールドームの建築に必要となる施工コストが増大するおそれがあるいう問題点があった。
【０００８】
さらに、特許文献１に開示された発泡スチロールドームは、複数のドーム片の構成材となる発泡スチロールが軽量であることから、発泡スチロールドームに対する横風等によって、各々のドーム片に対して、浮き上がるような外力が作用することになる。このとき、特許文献１に開示された発泡スチロールドームは、複数のドーム片が集合する発泡スチロールドームの上端部で、各々のドーム片が相互に接触して変形するものとなり、隣り合う複数のドーム片の間に隙間を生じさせるおそれがあるという問題点があった。
【０００９】
そこで、本発明は、上述した問題点に鑑みて案出されたものであり、その目的とするところは、居住空間に雨漏り等が生じることを防止するとともに、外装部材の壁部の浮き上がりを防止することが可能となる発泡樹脂建築物及び発泡樹脂建築物の構築方法を提供することにある。
【課題を解決するための手段】
【００１０】
第１発明に係る発泡樹脂建築物は、発泡樹脂素材を主材とする発泡樹脂建築物であって、周縁部に設けられる壁部と上部に設けられる屋根部とを有する外装部材を備え、前記外装部材は、前記壁部が複数の分割板を上下方向に接合させることで略鉛直に形成されるとともに、前記屋根部が前記壁部の上端から延びるように連続して上方に向けて湾曲させて形成されて、前記分割板は、発泡樹脂素材が主材として用いられ、上端部及び下端部で上下方向に延びて傾斜する切欠部が形成されることを特徴とする。
【００１１】
第２発明に係る発泡樹脂建築物は、第１発明において、前記分割板は、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成されることを特徴とする。
【００１２】
第３発明に係る発泡樹脂建築物は、第２発明において、前記第１切欠部及び前記第２切欠部は、先端面と基端面との間で上下方向に延びて傾斜する褶動面が形成されることを特徴とする。
【００１３】
第４発明に係る発泡樹脂建築物は、第２発明又は第３発明において、複数の前記分割板は、上下方向に接合される一方の前記分割板の前記第１切欠部と、他方の前記分割板の前記第２切欠部とが、前記分割板に対して傾斜した貫通ボルトで連結されることを特徴とする。
【００１４】
第５発明に係る発泡樹脂建築物の構築方法は、発泡樹脂素材を主材とする発泡樹脂建築物の構築方法であって、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成された複数の分割板を、前記第１切欠部及び前記第２切欠部に形成された先端面と基端面との間で、上下方向に延びて傾斜する褶動面で褶動させながら上下方向に接合させて、発泡樹脂建築物の周縁部で略鉛直に外装部材の壁部を設ける壁部設置工程と、前記壁部設置工程で設けられた前記壁部の上端から延びるように連続して、発泡樹脂建築物の上部で上方に向けて湾曲させて形成された外装部材の屋根部を設ける屋根部設置工程とを備えることを特徴とする。
【発明の効果】
【００１５】
第１発明〜第５発明によれば、軽量な発泡樹脂素材を主材とするものであり、発泡樹脂建築物の横方向から風圧等の外力が作用することで、外装部材の壁部が浮き上がるように移動しようとした場合に、発泡樹脂建築物の上下方向において、壁部分割板に作用した風圧等の外力を、奥行方向に湾曲した連続部分割板から、屋根部分割板に円滑に伝達させることが可能となる。これにより、第１発明〜第５発明によれば、屋根部分割板が上方に向けて湾曲されることで、屋根部分割板に伝達された風圧等の外力を、屋根部分割板の表面側に分散させるとともに、発泡樹脂建築物の頂部に集中させて、発泡樹脂建築物の上下方向に分散させることが可能となる。
【００１６】
第１発明〜第５発明によれば、上下方向に細分化された複数の分割板が用いられるため、発泡樹脂建築物の横方向から風圧が作用して、外装部材の壁部が浮き上がるように移動しようとした場合に、第１切欠部及び第２切欠部が変形することによって、外装部材の壁部の浮き上がるような移動を吸収できるものとなり、外装部材の壁部の浮き上がりを防止することが可能となる。
【００１７】
第１発明〜第５発明によれば、断熱性能の高い発泡樹脂素材を主材とするものであるため、発泡樹脂建築物の居住空間における保温性を向上させることが可能となる。また、第１発明〜第５発明によれば、軽量な発泡樹脂素材を主材とするものであるため、外装部材の壁部及び屋根部を構成する複数の分割板を容易な運搬、施工を実現することができ、材料の輸送コストや、建築物の施工コストを低減させることが可能となる。
【００１８】
第１発明〜第５発明によれば、上下方向及び外周方向に細分化された複数の分割板が用いられるため、発泡樹脂素材を成形するときに生じる特有の大きさの不均一性を極力小さなものとすることができ、複数の分割板の製作精度を一定に維持することができる。これにより、第１発明〜第５発明によれば、複数の分割板の大きさを均一にして、隣り合う複数の分割板の間に隙間を生じさせないものとすることができ、居住空間に雨漏り等が生じることを防止することが可能となる。
【００１９】
特に、第２発明、第３発明によれば、複数の分割板の第１切欠部及び第２切欠部で、第１基端面及び第２先端面が、分割板の表面側よりも裏面側の方の上下方向の位置を高くして傾斜される。これにより、第２発明、第３発明によれば、雨水等が第１切欠部及び第２切欠部に浸入した場合であっても、第１基端面及び第２先端面が下方に向けて傾斜されていることによって、雨水等を流下させることができ、居住空間に雨漏り等が生じることを防止することが可能となる。
【００２０】
特に、第４発明、第５発明によれば、壁部設置工程及び屋根部設置工程において、発泡樹脂素材に特有の変形容易性を利用しながら、発泡樹脂建築物の上下方向で複数の分割板を容易かつ確実に接合することができるため、隣り合う複数の分割板の間に隙間を生じさせることなく、容易、迅速に外装部材の壁部及び屋根部を設けることが可能となる。
【図面の簡単な説明】
【００２１】
【図１】本発明を適用した発泡樹脂建築物を示す斜視図である。
【図２】本発明を適用した発泡樹脂建築物を示す正面図である。
【図３】本発明を適用した発泡樹脂建築物を示す平面図である。
【図４】（ａ）は、本発明を適用した発泡樹脂建築物に用いられる頂部板を示す左側面図であり、（ｂ）は、その平面図である。
【図５】（ａ）は、本発明を適用した発泡樹脂建築物に用いられる壁部分割板を示す正面図であり、（ｂ）は、その平面図であり、（ｃ）は、その左側面図である。
【図６】（ａ）は、本発明を適用した発泡樹脂建築物に用いられる屋根部分割板を示す左側面図であり、（ｂ）は、その平面図である。
【図７】（ａ）は、本発明を適用した発泡樹脂建築物に用いられる連続部分割板を示す左側面図であり、（ｂ）は、その正面図である。
【図８】本発明を適用した発泡樹脂建築物に用いられる分割板において、第１切欠部及び第２切欠部の第１実施例を示す拡大側面図である。
【図９】本発明を適用した発泡樹脂建築物に用いられる分割板において、第１切欠部及び第２切欠部の第２実施例を示す拡大側面図である。
【図１０】本発明を適用した発泡樹脂建築物に用いられる分割板において、第１切欠部及び第２切欠部の第３実施例を示す拡大側面図である。
【図１１】本発明を適用した発泡樹脂建築物に用いられる分割板において、第３切欠部を示す拡大底面図である。
【図１２】本発明を適用した発泡樹脂建築物の構築方法を示す斜視図である。
【図１３】本発明を適用した発泡樹脂建築物の構築方法の壁部設置工程において、第１実施例の第１切欠部と第２切欠部とが接合される態様を示す拡大側面図である。
【図１４】本発明を適用した発泡樹脂建築物の構築方法の壁部設置工程において、第２実施例の第１切欠部と第２切欠部とが接合される態様を示す拡大側面図である。
【図１５】本発明を適用した発泡樹脂建築物の構築方法の壁部設置工程において、第３実施例の第１切欠部と第２切欠部とが接合される態様を示す拡大側面図である。
【図１６】本発明を適用した発泡樹脂建築物の構築方法の壁部設置工程において、第３切欠部が接合される態様を示す拡大底面図である。
【図１７】本発明を適用した発泡樹脂建築物の構築方法の屋根部設置工程において、発泡樹脂建築物の上部に屋根部が設けられる態様を示す側面図である。
【図１８】（ａ）は、本発明を適用した発泡樹脂建築物の外装部材の壁部に横方向から風圧が作用する態様を示す側面図であり、（ｂ）は、その平面図である。
【図１９】本発明を適用した発泡樹脂建築物に骨組材を備えるものとした態様を示す斜視図である。
【図２０】本発明を適用した発泡樹脂建築物に骨組材を備えるものとして引付金具を取り付けた態様を示す斜視図である。
【図２１】本発明を適用した発泡樹脂建築物に骨組材を備えるものとして押付金具を取り付けた態様を示す正面図である。
【発明を実施するための形態】
【００２２】
以下、本発明を適用した発泡樹脂建築物１を実施するための形態について、図面を参照しながら詳細に説明する。
【００２３】
本発明を適用した発泡樹脂建築物１は、図１に示すように、発泡樹脂素材を主材として建築されるものであり、この発泡樹脂素材としては、例えば、発泡ポリスチレン、発泡ポリエチレン又は発泡ポリプロピレン等が用いられる。
【００２４】
本発明を適用した発泡樹脂建築物１は、略ドーム形状に構築されるものであり、居住空間を形成するために設けられる外装部材８を備える。外装部材８は、発泡樹脂建築物１の周縁部に設けられる壁部２と、発泡樹脂建築物１の上部に設けられる屋根部３とを有するものである。
【００２５】
壁部２は、図２、図３に示すように、発泡樹脂建築物１の外周方向Ｘに延びて設けられるとともに、発泡樹脂建築物１の上下方向Ｙに延びて設けられ、平面略円形状又は平面略楕円形状等になるように湾曲させて、略鉛直に形成される。壁部２は、複数に分割された分割板４が用いられ、発泡樹脂建築物１の外周方向Ｘ及び上下方向Ｙで、この複数の分割板４を接合させることによって構築される。
【００２６】
屋根部３は、図２、図３に示すように、発泡樹脂建築物１の外周方向Ｘに延びて設けられるとともに、発泡樹脂建築物１の上下方向Ｙ及び奥行方向Ｚに延びて設けられ、上方に向けて湾曲させて形成される。屋根部３は、複数に分割された分割板４が用いられ、発泡樹脂建築物１の外周方向Ｘ、上下方向Ｙ及び奥行方向Ｚで、この複数の分割板４を接合させることによって構築される。屋根部３は、発泡樹脂建築物１の頂部を塞ぐようにして、発泡樹脂素材を主材として用いた複数の頂部板８１が設けられる。
【００２７】
頂部板８１は、図４に示すように、上端部４１で上下方向Ｙに延びる筒片部８２を有する。頂部板８１は、発泡樹脂建築物１の外周方向Ｘで複数の筒片部８２が並べて設けられることで、発泡樹脂建築物１の頂部で上下方向Ｙに延びる筒状部１１を形成させるものとなる。頂部板８１は、上端部４１、下端部４２、左端部４３及び右端部４４から中央部分にかけて、表面側Ａに向けて隆起するように湾曲されるものであり、下端部４２よりも上端部４１の外周方向Ｘの長さを短くして平面略扇形状に成形される。
【００２８】
頂部板８１は、下端部４２において、第２切欠部６が形成されるとともに、左端部４３及び右端部４４において、第３切欠部７が形成される。頂部板８１は、これに限らず、下端部４２において、第１切欠部５が形成されてもよく、左端部４３及び右端部４４において、第１切欠部５又は第２切欠部６の何れか一方又は両方が形成されてもよい。
【００２９】
分割板４は、壁部２において、図５に示すように、壁部分割板４７が用いられる。壁部分割板４７は、上端部４１、下端部４２、左端部４３及び右端部４４で所定の形状の切欠部が形成されるものとなる。壁部分割板４７は、左端部４３及び右端部４４から中央部分にかけて、表面側Ａに向けて隆起するように湾曲されるものであり、正面略矩形状に成形される。
【００３０】
分割板４は、屋根部３において、図６に示すように、屋根部分割板４８が用いられる。屋根部分割板４８は、上端部４１、下端部４２、左端部４３及び右端部４４で所定の形状の切欠部が形成されるものとなる。屋根部分割板４８は、上端部４１、下端部４２、左端部４３及び右端部４４から中央部分にかけて、表面側Ａに向けて隆起するように湾曲されるものであり、下端部４２よりも上端部４１の外周方向Ｘの長さを短くして正面略扇形状に成形される。
【００３１】
分割板４は、壁部２の上端から屋根部３が延びるように連続する部分において、図７に示すように、連続部分割板４９が用いられる。連続部分割板４９は、上端部４１、下端部４２、左端部４３及び右端部４４で所定の形状の切欠部が形成されるものとなる。連続部分割板４９は、略鉛直に形成される下部４９ａと、上方に向けて隆起するように湾曲させて形成される上部４９ｂと、下部４９ａから上部４９ｂに連続して設けられる湾曲部４９ｃとを有する。
【００３２】
連続部分割板４９は、下部４９ａにおいて、左端部４３及び右端部４４から中央部分にかけて、表面側Ａに向けて隆起するように湾曲されるとともに、上部４９ｂにおいて、上端部４１、左端部４３及び右端部４４から中央部分にかけて、表面側Ａに向けて隆起するように湾曲させて形成される。連続部分割板４９は、湾曲部４９ｃにおいて、表面側Ａに向けて隆起するように湾曲させて形成される。
【００３３】
分割板４は、発泡樹脂素材が主材として用いられるものであり、上端部４１において、第１切欠部５が形成され、下端部４２において、第２切欠部６が形成される。分割板４は、これに限らず、上端部４１において、第１切欠部５が形成され、下端部４２において、第２切欠部６が形成されてもよい。分割板４は、左端部４３及び右端部４４において、第３切欠部７が形成される。
【００３４】
このとき、分割板４は、上端部４１及び下端部４２において、上下方向Ｙに延びるとともに奥行方向Ｚに傾斜する第１切欠部５及び第２切欠部６が形成されるものとなる。第１切欠部５及び第２切欠部６は、例えば、図８に示すように、第１実施例として示される態様の切欠部や、図９に示すように、第２実施例として示される態様の切欠部、図１０に示すように、第３実施例として示される態様等の切欠部が形成されるものとなる。
【００３５】
第１切欠部５は、第１実施例において、図８に示すように、分割板４の表面側Ａが切り欠かれて形成される。第１切欠部５は、上方向に突出して略水平に形成される第１先端面５１と、第１先端面５１から連続して分割板４の平板面と略平行に延びる第１当接面５６と、第１当接面５６の基端部から奥行方向Ｚに傾斜させて形成される第１基端面５２とを有する。このとき、第１基端面５２は、分割板４の表面側Ａより裏面側Ｂの方が、上下方向Ｙの位置を高くして傾斜される。
【００３６】
第２切欠部６は、第１実施例において、分割板４の裏面側Ｂが切り欠かれて形成される。第２切欠部６は、下方向に突出して奥行方向Ｚに傾斜させて形成される第２先端面６１と、第２先端面６１から連続して分割板４の平板面と略平行に延びる第２当接面６６と、第２当接面６６の基端部から略水平に形成される第２基端面６２とを有する。このとき、第２先端面６１は、分割板４の表面側Ａより裏面側Ｂの方が、上下方向Ｙの位置を高くして傾斜される。
【００３７】
第１切欠部５は、第２実施例において、図９に示すように、分割板４の表面側Ａが切り欠かれて形成される。第１切欠部５は、奥行方向Ｚに傾斜させて上方向に突出して形成される第１先端面５１と、第１先端面５１から連続して分割板４の平板面と略平行に延びる第１当接面５６と、第１当接面５６の基端部から奥行方向Ｚに傾斜させて形成される第１基端面５２とを有する。このとき、第１先端面５１及び第１基端面５２は、分割板４の表面側Ａより裏面側Ｂの方が、上下方向Ｙの位置を高くして傾斜される。
【００３８】
第２切欠部６は、第２実施例において、分割板４の裏面側Ｂが切り欠かれて形成される。第２切欠部６は、奥行方向Ｚに傾斜させて下方向に突出して形成される第２先端面６１と、第２先端面６１から連続して分割板４の平板面と略平行に延びる第２当接面６６と、第２当接面６６の基端部から奥行方向Ｚに傾斜させて形成される第２基端面６２とを有する。このとき、第２先端面６１及び第２基端面６２は、分割板４の表面側Ａより裏面側Ｂの方が、上下方向Ｙの位置を高くして傾斜される。
【００３９】
第１切欠部５は、第３実施例において、図１０に示すように、分割板４の表面側Ａが切り欠かれて形成され、奥行方向Ｚに傾斜させて上方向に突出して形成される第１先端面５１と、第１先端面５１から連続して延びる第１褶動面５７と、第１褶動面５７の基端部から奥行方向Ｚに傾斜させて形成される第１基端面５２とを有する。このとき、第１先端面５１及び第１基端面５２は、分割板４の表面側Ａより裏面側Ｂの方が、上下方向Ｙの位置を高くして傾斜される。また、第１褶動面５７は、第１先端面５１と第１基端面５２との間で、上下方向Ｙに延びて形成され、第１先端面５１側が表面側Ａに突出するように奥行方向Ｚに傾斜して形成される。
【００４０】
第２切欠部６は、第３実施例において、分割板４の裏面側Ｂが切り欠かれて形成され、奥行方向Ｚに傾斜させて下方向に突出して形成される第２先端面６１と、第２先端面６１から連続して延びる第２褶動面６７と、第２褶動面６７の基端部から奥行方向Ｚに傾斜させて形成される第２基端面６２とを有する。このとき、第２先端面６１及び第２基端面６２は、分割板４の表面側Ａより裏面側Ｂの方が、上下方向Ｙの位置を高くして傾斜される。また、第２褶動面６７は、第２先端面６１と第２基端面６２との間で、上下方向Ｙに延びて形成され、第２先端面６１側が裏面側Ｂに突出するように奥行方向Ｚに傾斜して形成される。
【００４１】
第３切欠部７は、図１１に示すように、分割板４の表面側Ａが切り欠かれて形成され、外周方向Ｘに傾斜させて形成される側面７１と、分割板４の平板面と略平行に形成される底面７２と、側面７１と底面７２との間に形成される溝部７３とを有する。第３切欠部７は、隣り合う複数の分割板４の左端部４３及び右端部４４に形成されて、隣り合う複数の分割板４の左端部４３及び右端部４４を当接させた状態で、外周方向Ｘの両端部に一対の突出部７５が設けられた接合部材７４が嵌め込まれる。
【００４２】
本発明を適用した発泡樹脂建築物１の構築方法は、図１２に示すように、発泡樹脂建築物１の周縁部で略鉛直に外装部材８の壁部２を設ける壁部設置工程と、発泡樹脂建築物１の上部に外装部材８の屋根部３を設ける屋根部設置工程とを備えるものである。
【００４３】
壁部設置工程では、分割板４として壁部分割板４７が用いられて、発泡樹脂建築物１の外周方向Ｘ及び上下方向Ｙで、複数の分割板４を接合させることによって、壁部２が構築される。壁部設置工程では、図１３、図１４、図１５に示すように、上下方向Ｙに隣り合う複数の分割板４において、一方の分割板４の第１切欠部５と、他方の分割板４の第２切欠部６とが、貫通ボルト４５で連結されるものである。壁部設置工程では、これに限らず、一方の分割板４の第１切欠部５と、他方の分割板４の第２切欠部６とが、接着剤等によって接着されて接合されてもよい。
【００４４】
第１切欠部５及び第２切欠部６は、第１実施例において、最初に、図１３（ａ）に示すように、壁部設置工程において、湾曲して形成された発泡樹脂素材の分割板４を変形させながら、第１当接面５６と第２当接面６６とを当接させて、第１当接面５６と第２当接面６６とを褶動させるものとなる。
【００４５】
第１切欠部５及び第２切欠部６は、第１実施例において、次に、図１３（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００４６】
第１切欠部５及び第２切欠部６は、第１実施例において、最後に、図１３（ｃ）に示すように、壁部設置工程において、貫通ボルト４５に取付ナット４６が締め込まれることで、第１当接面５６と第２当接面６６とがさらに褶動するものとなり、貫通ボルト４５に取付ナット４６が締結されることで、略水平の第１先端面５１と第２基端面６２とを当接させるとともに、傾斜した第１基端面５２と第２先端面６１とを当接させるものとなる。
【００４７】
第１切欠部５及び第２切欠部６は、第２実施例においても、最初に、図１４（ａ）に示すように、壁部設置工程において、湾曲して形成された発泡樹脂素材の分割板４を変形させながら、第１当接面５６と第２当接面６６とを当接させて、第１当接面５６と第２当接面６６とを褶動させるものとなる。
【００４８】
第１切欠部５及び第２切欠部６は、第２実施例においても、次に、図１４（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００４９】
第１切欠部５及び第２切欠部６は、第２実施例においても、最後に、図１４（ｃ）に示すように、壁部設置工程において、貫通ボルト４５に取付ナット４６が締め込まれることで、第１当接面５６と第２当接面６６とがさらに褶動するものとなり、貫通ボルト４５に取付ナット４６が締結されることで、傾斜した第１先端面５１と第２基端面６２とを当接させるとともに、傾斜した第１基端面５２と第２先端面６１とを当接させるものとなる。
【００５０】
第１切欠部５及び第２切欠部６は、第３実施例においても、最初に、図１５（ａ）に示すように、壁部設置工程において、湾曲して形成された発泡樹脂素材の分割板４を変形させながら、傾斜した第１褶動面５７と第２褶動面６７とを当接させて、第１褶動面５７と第２褶動面６７とを褶動させるものとなる。
【００５１】
第１切欠部５及び第２切欠部６は、第３実施例においても、次に、図１５（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００５２】
第１切欠部５及び第２切欠部６は、第３実施例においても、最後に、図１５（ｃ）に示すように、壁部設置工程において、貫通ボルト４５に取付ナット４６が締め込まれることで、第１褶動面５７と第２褶動面６７とがさらに褶動するものとなり、貫通ボルト４５に取付ナット４６が締結されることで、傾斜した第１先端面５１と第２基端面６２とを当接させるとともに、傾斜した第１基端面５２と第２先端面６１とを当接させるものとなる。
【００５３】
第１切欠部５及び第２切欠部６は、第１実施例〜第３実施例の何れにおいても、分割板４の平板面に対して傾斜させて貫通ボルト４５が貫通されるため、貫通ボルト４５に取付ナット４６が締め込まれることで、発泡樹脂素材の分割板４の変形によって、第１切欠部５と第２切欠部６とが互いに引き寄せあうように変形するものとなる。
【００５４】
これにより、本発明を適用した発泡樹脂建築物１の構築方法は、壁部設置工程において、発泡樹脂素材に特有の変形容易性を利用しながら、発泡樹脂建築物１の上下方向Ｙで複数の分割板４を容易かつ確実に接合することができるため、隣り合う複数の分割板４の間に隙間を生じさせることなく、容易、迅速に壁部２を設けることが可能となる。
【００５５】
また、本発明を適用した発泡樹脂建築物１の構築方法は、壁部設置工程において、図１６に示すように、外周方向Ｘで隣り合う複数の分割板４の左端部４３及び右端部４４を当接させた状態で、第３切欠部７に形成された溝部７３に、接合部材７４に形成された一対の突出部７５が嵌合されて、隣り合う複数の分割板４の左端部４３及び右端部４４が接合される。
【００５６】
接合部材７４は、第３切欠部７の溝部７３に接合部材７４の突出部７５が嵌合された状態で、分割板４の表面側Ａから裏面側Ｂにかけて長ネジ又は両ボルト７７を貫通させて、分割板４の表面側Ａと裏面側Ｂとに一対の取付板７８を備えたジョイント金具７６が取り付けられる。
【００５７】
ジョイント金具７６は、長ネジ又は両ボルト７７にナットを締結することによって、分割板４の表面側Ａと裏面側Ｂとを一対の取付板７８で平面状に押圧するものとなる。このとき、本発明を適用した発泡樹脂建築物１は、外周方向Ｘで隣り合う複数の分割板４の左端部４３及び右端部４４を、ジョイント金具７６を用いて強固に接合させることが可能となる。
【００５８】
これにより、本発明を適用した発泡樹脂建築物１の構築方法は、壁部設置工程において、発泡樹脂建築物１の外周方向Ｘで複数の分割板４を容易かつ確実に接合することができ、隣り合う複数の分割板４の間に隙間を生じさせることなく、容易、迅速に壁部２を設けることが可能となる。また、本発明を適用した発泡樹脂建築物１は、分割板４の左端部４３及び右端部４４において、第３切欠部７に溝部７３が形成されるため、雨水等が第３切欠部７に浸入した場合であっても、溝部７３を通じて雨水等を流下させることができ、居住空間に雨漏り等が生じることを防止することが可能となる。
【００５９】
本発明を適用した発泡樹脂建築物１の構築方法は、屋根部設置工程において、図１７に示すように、壁部設置工程で設けられた壁部２の上端から延びるように連続して、発泡樹脂建築物１の上部で上方に湾曲させて形成された屋根部３を設けるものである。
【００６０】
屋根部設置工程では、分割板４として屋根部分割板４８及び連続部分割板４９が用いられて、図１７（ａ）に示すように、壁部設置工程で設けられた壁部２の壁部分割板４７の上端部４１に形成された第１切欠部５に、連続部分割板４９の下端部４２に形成された第２切欠部６が接合される。また、屋根部設置工程では、図１７（ｂ）に示すように、連続部分割板４９の上端部４１に形成された第１切欠部５と、屋根部分割板４８の下端部４２に形成された第２切欠部６とが接合される。
【００６１】
このとき、屋根部３は、第１切欠部５及び第２切欠部６が形成された複数の分割板４の上端部４１及び下端部４２を上下方向Ｙで接合させるとともに、第３切欠部７が形成された複数の分割板４の左端部４３及び右端部４４を外周方向Ｘで接合させることができるものとなる。これにより、本発明を適用した発泡樹脂建築物１の構築方法は、発泡樹脂建築物１の上下方向Ｙ及び外周方向Ｘにおいて、複数の分割板４を容易かつ確実に接合することができるため、隣り合う複数の分割板４の間に隙間を生じさせることなく、容易、迅速に屋根部３を設けることが可能となる。
【００６２】
なお、本発明を適用した発泡樹脂建築物１の構築方法は、分割板４の左端部４３及び右端部４４の何れか一方において、第１切欠部５及び第２切欠部６の何れか一方が形成されるとともに、分割板４の左端部４３及び右端部４４の何れか他方において、第１切欠部５及び第２切欠部６の何れか他方が形成されてもよい。このとき、本発明を適用した発泡樹脂建築物１の構築方法は、発泡樹脂建築物１の外周方向Ｘにおいても、図１３、図１４、図１５に示すように、複数の分割板４を容易かつ確実に接合することができるため、隣り合う複数の分割板４の間に隙間を生じさせることなく、容易、迅速に壁部２及び屋根部３を設けることが可能となる。
【００６３】
本発明を適用した発泡樹脂建築物１は、断熱性能の高い発泡樹脂素材を主材とするものであるため、発泡樹脂建築物１の居住空間における保温性を向上させることが可能となる。また、本発明を適用した発泡樹脂建築物１は、軽量な発泡樹脂素材を主材とするものであるため、壁部２及び屋根部３を構成する複数の分割板４の容易な運搬、施工を実現することができ、材料の輸送コストや、建築物の施工コストを低減させることが可能となる。
【００６４】
本発明を適用した発泡樹脂建築物１は、上下方向Ｙ及び外周方向Ｘに細分化された複数の分割板４が用いられるため、発泡樹脂素材を成形するときに生じる特有の大きさの不均一性を極力小さなものとすることができ、複数の分割板４の製作精度を一定に維持することができる。これにより、本発明を適用した発泡樹脂建築物１は、複数の分割板４の大きさを均一にして、隣り合う複数の分割板４の間に隙間を生じさせないものとすることができ、居住空間に雨漏り等が生じることを防止することが可能となる。
【００６５】
本発明を適用した発泡樹脂建築物１は、複数の分割板４の第１切欠部５及び第２切欠部６で、第１基端面５２及び第２先端面６１が、分割板４の表面側Ａよりも裏面側Ｂの方の上下方向Ｙの位置を高くして傾斜される。これにより、本発明を適用した発泡樹脂建築物１は、雨水等が第１切欠部５及び第２切欠部６に浸入した場合であっても、第１基端面５２及び第２先端面６１が下方に向けて傾斜されていることによって、雨水等を流下させることができ、居住空間に雨漏り等が生じることを防止することが可能となる。
【００６６】
本発明を適用した発泡樹脂建築物１は、軽量な発泡樹脂素材を主材とするものであり、また、第１基端面５２及び第２先端面６１が下方に向けて傾斜されていることによって、図１８（ａ）に示すように、発泡樹脂建築物１の横方向から風圧等の外力が作用することで、壁部２が浮き上がるように移動しようとするものとなる。本発明を適用した発泡樹脂建築物１は、発泡樹脂建築物１の上下方向Ｙにおいて、壁部分割板４７に作用した風圧等の外力を、奥行方向Ｚに湾曲した連続部分割板４９から、屋根部分割板４８に円滑に伝達させることが可能となる。
【００６７】
これにより、本発明を適用した発泡樹脂建築物１は、屋根部分割板４８が上方に向けて湾曲されることで、屋根部分割板４８に伝達された風圧等の外力を、屋根部分割板４８の表面側Ａに分散させることが可能となる。また、本発明を適用した発泡樹脂建築物１は、屋根部分割板４８に伝達された外力を、発泡樹脂建築物１の頂部において上下方向Ｙに延びる筒状部１１に集中させることができ、発泡樹脂建築物１の上下方向Ｙに分散させることが可能となる。さらに、本発明を適用した発泡樹脂建築物１は、図１８（ｂ）に示すように、壁部分割板４７が外周方向Ｘで湾曲させて形成されることから、壁部分割板４７に作用した風圧等の外力を、壁部２の外周方向Ｘで伝達させて、壁部分割板４７の表面側Ａに分散させることが可能となる。
【００６８】
また、本発明を適用した発泡樹脂建築物１は、上下方向Ｙに細分化された複数の分割板４が用いられるため、発泡樹脂建築物１の横方向から風圧が作用して、壁部２が浮き上がるように移動しようとした場合に、第１切欠部５及び第２切欠部６において、発泡樹脂素材が変形するものとなる。このとき、本発明を適用した発泡樹脂建築物１は、第１切欠部５及び第２切欠部６が変形することによって、壁部２の浮き上がるような移動を吸収できるものとなり、壁部２の浮き上がりを防止することが可能となる。
【００６９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００７０】
例えば、本発明を適用した発泡樹脂建築物１は、図１９に示すように、発泡樹脂建築物１の外装として設けられる外装部材８と、発泡樹脂建築物１の骨組として設けられる骨組材９とを備えるものとすることができる。
【００７１】
このとき、本発明を適用した発泡樹脂建築物１は、図２０に示すように、骨組材９の母屋や梁材に引付金具９１を取り付けて、複数の分割板４を骨組材９の母屋や梁材に引き付けて固定することができる。また、本発明を適用した発泡樹脂建築物１は、図２１に示すように、骨組材９の天井材に押付金具９２を取り付けて、複数の頂部板８１を骨組材９の天井材に押さえつけるように固定することができる。このとき、本発明を適用した発泡樹脂建築物１は、屋根部３を構成する複数の頂部板８１が風等によって飛ばされないように、複数の頂部板８１を押付金具９２で骨組材９に強固に連結することが可能となる。
【符号の説明】
【００７２】
１        ：発泡樹脂建築物
１１      ：筒状部
２        ：壁部
３        ：屋根部
４        ：分割板
４１      ：上端部
４２      ：下端部
４３      ：左端部
４４      ：右端部
４５      ：貫通ボルト
４６      ：取付ナット
４７      ：壁部分割板
４８      ：屋根部分割板
４９      ：連続部分割板
４９ａ    ：下部
４９ｂ    ：上部
４９ｃ    ：湾曲部
５        ：第１切欠部
５１      ：第１先端面
５２      ：第１基端面
５６      ：第１当接面
５７      ：第１褶動面
６        ：第２切欠部
６１      ：第２先端面
６２      ：第２基端面
６６      ：第２当接面
６７      ：第２褶動面
７        ：第３切欠部
７１      ：側面
７２      ：底面
７３      ：溝部
７４      ：接合部材
７５      ：突出部
７６      ：ジョイント金具
７７      ：両ボルト
７８      ：取付板
８        ：外装部材
８１      ：頂部板
８２      ：筒片部
９        ：骨組材
９１      ：引付金具
９２      ：押付金具
Ａ        ：表面側
Ｂ        ：裏面側
Ｘ        ：外周方向
Ｙ        ：上下方向
Ｚ        ：奥行方向
【図１】
2014224395.tif 000003
【図２】
2014224395.tif 000004
【図３】
2014224395.tif 000005
【図４】
2014224395.tif 000006
【図５】
2014224395.tif 000007
【図６】
2014224395.tif 000008
【図７】
2014224395.tif 000009
【図８】
2014224395.tif 000010
【図９】
2014224395.tif 000011
【図１０】
2014224395.tif 000012
【図１１】
2014224395.tif 000013
【図１２】
2014224395.tif 000014
【図１３】
2014224395.tif 000015
【図１４】
2014224395.tif 000016
【図１５】
2014224395.tif 000017
【図１６】
2014224395.tif 000018
【図１７】
2014224395.tif 000019
【図１８】
2014224395.tif 000020
【図１９】
2014224395.tif 000021
【図２０】
2014224395.tif 000022
【図２１】
2014224395.tif 000023